(57)【要約】【課題】排出口に取り付け易く、かつ取り扱いの際にバネが網からはずれにくいゴミ捕集装置とすること。【解決手段】網５と、網５の周縁を覆う縁金６と、弾性を有する線材により下方に凸状の湾曲部が形成されるとともに端部が網５と一体化され、ゴミ捕集装置１０が排出口３に装着されると排出口３につながる導水路１４の内側を付勢して網５を排出口３に取り付けるバネ９とを備え、網５の周縁部８とバネ９の取付け部７とを重ねて縁金６により挟着し、網５とバネ９とを縁金６により一体化したことによって、バネが容易に外れることを防止し、洗浄時などに使用者がバネ９を外してしまう不具合をなくすことができる。【選択図】図１
2006255593.tif 000002
【特許請求の範囲】
【請求項１】
液体を収納する容器の排出口に着脱自在に装着されるゴミ捕集装置であって、網と、前記網の周縁を覆う縁金と、弾性を有する線材により下方に凸状の湾曲部が形成されるとともに端部で前記網と繋がり、前記ゴミ捕集装置が前記排出口に装着されると前記排出口の奥の導水路の内壁を付勢して前記網を前記排出口に取り付けるバネとを備え、前記網の端部と前記バネの端部を折り曲げて形成した取付け部とを重ねて前記縁金により挟着し、前記網と前記バネとを一体化したゴミ捕集装置。
【請求項２】
液体を収納する容器の排出口に着脱自在に装着されるゴミ捕集装置であって、網と、前記網の周縁を覆う縁金と、弾性を有する線材により下方に凸状の湾曲部が形成されるとともに端部で前記網と繋がり、前記ゴミ捕集装置が前記排出口に装着されると前記排出口の奥の導水路の内壁を付勢して前記網を前記排出口に取り付けるバネとを備え、前記排出口内に挿入される筒状部の上端にフランジ部が形成された管体をさらに有し、前記バネの端部を折り曲げて形成した取付け部を、前記フランジ部の一部を切り欠いて形成した切欠き部に挿入し、前記網の端部と前記フランジ部を重ね合わせた部分を前記縁金により挟着することにより、前記網と前記バネとを一体化したゴミ捕集装置。
【請求項３】
凸状曲面となるように形成した網と、線材の中央を下方に凸状に曲げて形成した下部湾曲部及び前記下部湾曲部の両側を伸ばして前記網の天井部に接触するように上方に凸状に曲げて形成した２つの上部湾曲部を有するバネとを有する請求項２に記載のゴミ捕集装置。
【請求項４】
バネは、取付け部を縁金に取り付けると前記バネが縁金の内側を付勢するように形成されてなる請求項３に記載のゴミ捕集装置。
【発明の詳細な説明】
【技術分野】
【０００１】
本発明は、液体容器の排出口に嵌着されるゴミ捕集装置に関するものである。
【背景技術】
【０００２】
従来、この種のゴミ捕集装置は、例えば電気湯沸かし器に使用され、容器より液体を導出するための出湯路の容器側の開口である排出口に着脱自在に取り付けられるもので、ゴミを除去するフィルターを有し、前記フィルターにバネが取り付けられており、前記バネは出湯路の内壁に弾接する線状の弾性体で構成されていた（例えば、特許文献１及び特許文献２参照）。
【０００３】
図６及び図７は、特許文献１に記載された従来のゴミ捕集装置を示すものである。容器１０１と、出湯路１０５と、パイプ１０６と、フィルター体１０９と、バネ１１３と、巻回部１１４と、曲げ部１１５から構成されている。
【特許文献１】特開平２−２７９１１５号公報
【特許文献２】特開平８−８９４２０号公報
【発明の開示】
【発明が解決しようとする課題】
【０００４】
しかしながら、前記従来の構成では、フィルター体１０９への取り付け用バネ１１３は、その両端脚先端部をフィルター体１０９の下方開口よりに挿入し貫通孔１０９ａに嵌入させ組み立てられているため、フィルター体１０９に目詰まりが発生し使用者がフィルター体１０９を洗浄中に曲げ部１１５を内側へ誤ってつまむことで、貫通孔１０９ａバネ１１３より外してしまった場合、再度、使用者はバネ１１３をフィルター体１０９へ取り付けなければならないため、大変手間がかかるという課題を有していた。
【０００５】
また、バネ１１３の取付け部の強度を確保するためには、バネ１１３の線材の直径を大きくすることが必要になるため、バネ１１３のＵ字状部をパイプ１０６内に挿入させ内壁面に曲げ部１１５を弾接する荷重が大きくなり、その結果フィルター体１０９の着脱するための荷重も大きくなり、操作性を悪化させるという課題を有していた。さらに、着脱力が大きいため、フィルター体１０９底面が容器１０１の表面にいたるまで押し込まれずに途中で止めて取り付けられた場合は隙間ができるので、ゴミを収集する本来の目的を果たすことができなくなるという課題を有していた。
【０００６】
本発明は、前記従来の課題を解決するもので、フィルター体１０９とバネ１１３が容易に分解できなくすることで、使用者が洗浄中にバネ１１３を外してしまうといった不具合を解決し、かつ、バネ取付け部の強度（バネ１１３の線材の直径に比例する）を低下させることなくフィルター体１０９の装着時の荷重を適切に設定することができ、かつ、使用者にゴミ捕集装置の設置状態が確実であるかを知らしめることができるようにしたゴミ捕集装置を提供することを目的とする。
【課題を解決するための手段】
【０００７】
前記従来の課題を解決するために、本発明のゴミ捕集装置は、バネの端部を折り曲げて形成した取付け部を、フランジ部を切り欠いて形成した切欠き部に挿入し、網の端部と前記フランジ部を重ね合わせた部分を縁金により上下から挟み込んで圧着して、網とバネとを一体化したものである。
【０００８】
これによって、バネが容易に外れることを防止し、洗浄時などに使用者がバネを外してしまう不具合を解決することができる。
【発明の効果】
【０００９】
本発明のゴミ捕集装置は、バネが容易に外れることを防止し、かつ、着脱性のよいゴミ捕集装置を提供することができる。
【発明を実施するための最良の形態】
【００１０】
第１の発明は、網の端部とバネの端部を折り曲げて形成した取付け部とを重ねて縁金により挟着し、網とバネとを縁金により一体化したものである。
【００１１】
これによって、バネが容易に外れることを防止し、洗浄時などに使用者がバネを外してしまう不具合が起こるのを防止することができる。
【００１２】
第２の発明は、排出口内に挿入される筒状部の上端にフランジ部が形成された管体をさらに有し、バネの端部を折り曲げて形成した取付け部を、フランジ部の一部を切り欠いて形成した切欠き部に挿入し、網の端部と前記フランジ部を重ね合わせた部分を縁金により挟着し、網とバネとを管体を介在させ縁金で一体化したものである。
【００１３】
これによって、バネが容易に外れることを防止し、洗浄時などに使用者がバネを外してしまう不具合が起こるのを防止することができる。また、ゴミ捕集装置の取付け時に管体が、排出口へのガイドとなるため使用者がゴミ捕集装置を容器の排出口に容易に装着することができ、また、フランジ部の切欠き部にバネの取付け部が挿入されるので縁金で挟着後取付け部のある部分で、ふくらむのが目立たないようにして見栄えをよくすることができる。
【００１４】
第３の発明は、特に、凸形状の網と、下方に凸状に巻き曲げて形成した下部湾曲部及び前記下部湾曲部からそれぞれ前記網の天井部に接触する位置まで上方に伸びさらに下方に湾曲させた上部湾曲部とを形成したバネとを有することにより、バネ先端の取付け部に加わる荷重を網の天井部にも分担させることができる。バネの取付け部の強度は、バネ線材の直径に依存し、ゴミ捕集装置の装着時の操作荷重を弱くするには、線径を細くする必要がありこの結果取付け部の強度が弱くなるが、上記のように上部湾曲部と天井部とが当接することで取付け部に加わる力を減じ、バネの線径の細さの制約を緩和することができ、適切に設定された操作性のよいゴミ捕集装置を提供することができる。
【００１５】
第４の発明は、特に、バネは、取付け部を縁金に取り付けると前記バネが縁金の内側を付勢するように形成されてなることにより、バネと縁金が組み立て途中で容易に分離しない（仮固定できる）ので組み立て性のよいゴミ捕集装置を提供することができる。
【００１６】
以下、本発明の実施の形態について、図面を参照にしながら説明する。なお、この実施の形態によって本発明が限定されるものではない。
【００１７】
（実施の形態１）
図１は、本発明の第１の実施の形態におけるゴミ捕集装置の電気湯沸かし器に取り付けた時の形状を示す断面図、図２は同じくその拡大断面図である。
【００１８】
図１、図２及び図３に示したゴミ捕集装置１０は、容器１の底壁２に設けられた排出口３に着脱自在に取り付けられるものである。ゴミ捕集装置１０は、弾性を有する線材を曲げて加工されたバネ９の先端に設けられた取付け部７が、下部を筒状とした管体４の上端に設けられたフランジ部１１に形成された切欠き部１８に嵌め込まれた状態で、凸形状に形成された網５の端部をフランジ状に折り曲げ周縁部８を形成し、この周縁部８とフランジ部１１とを重ね合わせて、縁金６によりコの字上に挟着すべくかしめたものである。後で説明するが図５に示すようにカシメ部１２はゴミ捕集装置１０の取付け時に、容器１の底壁２に接する。管体４下部の筒状部は、排出口３と略相似形に形成され、それと排出口３を形成する容器１の底壁２との隙間Ｘは網５の開口隙間Ｙと同等以下の大きさとしている。
【００１９】
容器１の底壁２に絞り加工を施し形成される底面に穴２８を設けることで排出口３を形成する突起部１３を設けている。穴２８の周囲には、内部方向に立ち上がる立ち上がり部が形成されている。導水路１４は、排出口３より容器１内の液体を外部に液体を導く水路であり、その経路の途中に液体を放出するためのポンプ１５を内包する。突起部１３はパッキン１６によりポンプ１５と接続され導水路１４を形成する。容器１の底面には容器１内の液体を加熱するための加熱手段１７が配置されている。
【００２０】
図３はゴミ捕集装置１０の構成部品を縁金６で挟着して一体化する前の状態、つまり、ゴミ捕集装置１０の組み立て前の状態を示している。バネ９の先端部の取付け部７は管体４の上端に設けられているフランジ部１１の切欠き部１８に両端を格納される。次に、フランジ部１１の上面を網５の下端の周縁部８と重ねる。そして、フランジ部１１で周縁部８とフランジ部１１を同時に挟み込んで挟着する。すなわち、フランジ部１１の下面を縁金６の下挟着面１９と接するようにし、周縁部８の上面が縁金６の上挟着面２０と接するように上挟着面２０が挟着時に折り曲げられる。挟着前において縁金６は、筒状部とその下端に形成されたフランジ状の下挟着面１９を有し、縁金６の筒状部（上挟着面２０）の内側の直径Ｄ１は、管体４のフランジ部１１の外形である直径Ｄ２よりも大きく設定されているので、管体４の筒状部を下挟着面１９に設けられた穴３１を通過させて、フランジ部１１を下挟着面１９上に載置し、上記のようにバネ９の取付け部７を挿入し網５の周縁部８を重ね合わせて縁金６の筒状部（上挟着面２０）を内側に折り曲げてかしめることにより網５とバネ９を一体化する。
【００２１】
図４はバネ９を管体４に取り付ける前のバネ９の状態、つまり、無負荷である状態を示している。バネ９には、線材の中央を曲げて下部湾曲部２３が形成されている。また、バネ９には、下部湾曲部２３を形成する両側の線材を外側に部分的に広がる部分が形成され、この部分は導水路１４の内壁との接触部２２となる。さらに、バネ９には、傾斜により形成した係合部２６とが設けられ、この係合部２６で容器１の底壁２に形成された突起部１３と係合する。バネ９には、また、管体４への当接部２７が形成され、凸形状の網５の内側の天井部２４に接触する位置まで上方に伸び、下方に湾曲させた上部湾曲部２５を有する。上部湾曲部２５の端部には、バネ９が管体４に取り付けられた時に当接部２７からバネ９に対して加えられる力の方向（Ｆ１方向）に曲げ加工されている。尚、図４中の２点鎖線はバネ９がゴミ捕集装置１０に組み込まれたときの形状の一部を省略して記載している。
【００２２】
縁金６のカシメ加工後において、網５の下端の周縁部８の上側に配置されることになる上挟着面２０は、カシメ加工前は縁金６の下挟着面１９から略直角で連なる筒状（この場合は円筒状）の面である。ゴミ捕集装置１０を組み立てる際に、バネ９は、バネ９の上部湾曲部２５の両側を内側方向（Ｆ１と反対方向）に押えながら、切欠き部１８に嵌め込み縁金６の筒状部２０の内側に嵌め込まれるので、嵌め込んだ後、押える力を除くとバネの復元力により取付け部７の先端が筒状部２０の内側に当接して外側に付勢力（Ｆ１の方向）が働き、また、網５については、網５の周縁部８を筒状部２０に嵌め込む時には内側方向（Ｆ２と反対方向）に縮めて（例えば手で摘む）行うようにすると嵌め込んだ後に手を離すと周縁部８にはたらく、外側に広がろうとする復元力Ｆ２により、網５の先端は筒状部２０の内側に当接されある程度固定されることになり、その後、縁金６の上挟着面２０を永久変形させることで、管体４、網５、バネ９を最終的に一体的に固定する再の作業が容易になる。このときバネ９の取付け部７を管体４のフランジ部１１の切欠き部１８に格納されているため、バネ９の回転方向の位置ズレは規制され、またバネの線径ｄによってバネ９の部分で極端にカシメ後の上挟着面２０が突起しないため、外観的にも美しく管体４、網５、バネ９の一体化構成が、カシメ加工による保持力により強固に保持されることになる。
【００２３】
また、図５に示すように縁金６の下挟着面１９と上挟着面２０におけるカシメ部１２のカシメ加工後の形状に段差部２１を設けることで、網５、バネ９を部分的に折り曲げ、外力Ｆ３（網５をつまむ力）に対して外れにくくなるように設定している。
【００２４】
以上のように構成された、ゴミ捕集装置１０について、以下その動作、作用を説明する。図２において、まず、ゴミ捕集装置１０の容器１内にある排出口３への取り付けは、バネ９の下部湾曲部２３を排出口３に挿入し、管体４の筒状部を排出口３への案内として押し込むと、バネ９の接触部２２が底壁２の突起部１３の穴２８の周囲の突起部を乗り越え、導水路１４の内壁面を図２に示すＦ４の力で付勢することにより安定化される。接触部２２が突起部１３の穴２８の周囲の立ち上がり部を乗り越えるときに、バネ９が導水路１４の内壁を付勢する力が低下する変化が起こる。使用者は、ゴミ捕集装置１０の網５の下のバネ９の部分を排出口３に挿入して設置する際に、このバネ９の付勢力の変化に伴う挿入荷重（挿入力）の変化により、いわゆるクリック感が得られその取付けが完了したことを知ることができる。
【００２５】
また、ゴミ捕集装置１０を取り付ける際に、バネ９の取付け部７には荷重が加わるが、本実施の形態の構成によれば、網５の天井部２４にもバネ９が接触されているために、荷重が分散されるという効果が得られる。
【００２６】
また、バネ９の接触部２２が突起部１３を乗り越えて取り付けられることにより、突起部１３との係合部２６が、所定位置に配置されることにより意図して取りはずす力を加えなければ、ゴミ捕集装置１０が外れないようになっている。ゴミ捕集装置１０の差込位置は、縁金６のカシメ部１２（下挟着面１９）が容器１の底壁２に当接することで規制している。
【００２７】
また、ゴミ捕集装置１０の管体４の外壁形状が排出口３を形成する突起部１３の内壁形状と略相似形に設定されているため、バネ９の上下の取り付け隙間を大きなゴミが通過しないように所定値以下にすることができる。つまり、ゴミ捕集装置１０のカシメ部１２（下挟着面１９）が底壁２に当接する状態から、ゴミ捕集装置１０を上方に移動させ突起部１３と係合部２６とが当接するまでの隙間Ｚを管体４の下部の筒状部の高さＨよりも小さく設定することで、管体４の筒状部と底壁２の突起部１３の側壁が重なり合い相互に対向させることができ、管体４の外壁と突起部１３の内壁の間の隙間Ｘを所定値とすることが可能となり、その所定値を網５開口隙間Ｙよりも小さくすることにより、網５の開口隙間Ｙよりも大きなゴミが隙間Ｘから導水路１４に浸入することはない。
【００２８】
ゴミ捕集装置１０の取りはずし時は、ゴミ捕集装置１０の網５を持ち、上に引き上げて、突起部１３の穴２８の周囲に傾斜した係合部２６を乗り上げさせることで、使用者にゴミ捕集装置１０の取りはずしの意図があることを確認することができる。このときゴミ捕集装置１０の引き上げを行うために必要な荷重は導水路１４内壁と突起部１３の穴２８の周縁との段差Ｅ、及び係合部２６の傾斜角度Ｇにより設定できる。
【００２９】
また、ゴミ捕集装置１０の装着時に、バネ９の下部湾曲部２３の両側は内側に力が加わるので、網５の内側と上部湾曲部２５の接触部分が少なくなるが、バネ９の取付け部７がかしめられて、管体４に固着されているので網５が取付け部７を支点として回転することがなく、挿入時にバネ９が腰折れ状態となりにくくすることができる。
【００３０】
さらに、ゴミ捕集装置１０のバネ９はカシメ部１２により網５及び管体４に挟着され一体化固定されているため、使用者が洗浄中に誤ってバネ９を外してしまうこともない。
【００３１】
以上のように本実施の形態では、液体を収納する容器１の排出口３に着脱自在に装着されるゴミ捕集装置であって、網５と、網５の周縁を覆う縁金６と、弾性を有する線材により下方に凸状の下部湾曲部２３が形成されるとともに端部で網５と繋がり、ゴミ捕集装置１０が排出口３に装着されると排出口３の奥の導水路１４の内壁を付勢して網５を排出口３に取り付けるバネとを備え、排出口３内に挿入される筒状部の上端にフランジ部１１が形成された管体４をさらに有し、バネ９の端部を折り曲げて形成した取付け部７を、フランジ部１１の一部を切り欠いて形成した切欠き部１８に挿入し、網５の端部とフランジ部１１を重ね合わせた部分を縁金６により挟着することにより、網５とバネ９とを一体化したことにより、網５、バネ９を確実に一体化固定できるので、洗浄時にバネ９が容易に外れることを防止することができるゴミ捕集装置１０とすることができると共に、ゴミ捕集装置１０を排出口３に取り付ける時に管体４が、排出口３へのガイドとなり、使用者が容易にゴミ捕集装置１０を容器１の排出口３に配置することができる。
【００３２】
また本実施の形態では、凸状曲面となるように形成した網５と、線材の中央を下方に凸状に曲げて形成した下部湾曲部２３及び下部湾曲部２３の両側を伸ばして網５の天井部２４に接触するように上方に凸状に曲げて形成した２つの上部湾曲部２５を有するバネ９とを有することにより、バネ９の取付け部７に装着時に加わる荷重を網の天井部２４に分割し、操作荷重が適切に分散された操作性のよいゴミ捕集装置を提供することができる。
【００３３】
また本実施の形態では、バネ９は、取付け部７を縁金６に取り付けるとバネ９が縁金６の内側を付勢するように形成されてなることにより、バネ９と縁金６が組み立て途中で容易に分離しない（仮固定できる）ので組み立て性のよいゴミ捕集装置１０を提供することができる。
【００３４】
なお、上記実施の形態においては、管体４を介在させて網５とバネ９とを一体化させたが、管体４を用いず、網５の端部である周縁部８とバネ９の端部を折り曲げて形成した取付け部７とを重ねて縁金６により挟着し、網５とバネ９とを縁金６により一体化してもよい。この場合には、バネ９が容易に外れることを防止し、洗浄時などに使用者がバネを外してしまう不具合を解決することができるという効果がある。
【産業上の利用可能性】
【００３５】
以上のように、本発明にかかるゴミ捕集装置は、バネが容易に外れず、使用者に着脱性のよいゴミ捕集装置の提供が可能となるので、液体を貯水する容器から、外部へ導く排出口を有する、電気湯沸かし器、貯水槽、やかん、急須等の機器の用途にも適用できる。
【図面の簡単な説明】
【００３６】
【図１】本実施の形態１におけるゴミ捕集装置の取付け時の形状を示す断面図
【図２】同ゴミ捕集装置の取付け時の形状を示す拡大断面図
【図３】同ゴミ捕集装置の組み立て前の分解斜視図
【図４】同ゴミ捕集装置のバネの組み立て前の無負荷時形状を示す正面図
【図５】同ゴミ捕集装置の縁金の近傍を示す要部拡大断面図
【図６】従来のゴミ捕集装置の取付け状態拡大断面図
【図７】同ゴミ捕集装置の電気湯沸し器に取付け時の形状を示す断面図
【符号の説明】
【００３７】
１  容器
３  排出口
４  管体
５  網
６  縁金
７  取付け部
８  周縁部（端部）
９  バネ
１０  ゴミ捕集装置
１１  フランジ部
１４  導水路
１８  切欠き部
２３  下部湾曲部
２４  天井部
【図１】
2006255593.tif 000003
【図２】
2006255593.tif 000004
【図３】
2006255593.tif 000005
【図４】
2006255593.tif 000006
【図５】
2006255593.tif 000007
【図６】
2006255593.tif 000008
【図７】
2006255593.tif 000009